【手続補正書】
【提出日】平成28年12月6日(2016.12.6)
【手続補正１】
【補正対象書類名】特許請求の範囲
【補正対象項目名】全文
【補正方法】変更
【補正の内容】
【特許請求の範囲】
【請求項１】
人を支持するシステムであって、
トラックと、
前記トラックに動作可能に取り付けられており、前記トラックによって画定される経路に沿って第１の方向及び前記第１の方向と概ね反対方向の第２の方向に移動自在な移動自在支持ユニットと、
前記移動自在支持ユニットに取り付けられ、前記トラックによって画定された経路に沿って前記支持ユニットを移動させ、前記トラックの表面に摩擦態様で接続されて前記トラックに沿って前記支持ユニットの水平方向位置を制御する第１の駆動部と、
前記移動自在支持ユニットに取り付けられ、回転自在ドラムを駆動する第２の駆動部を含むアクチュエータであって、前記ドラムが前記ドラムに取り付けられているストラップの第１の端部を有しかつ前記ストラップが前記ドラムの外表面の周りに重なり合うコイルの態様で巻き付けられており、前記ストラップの第２の端部が人を支持するために取り付けられている支持ハーネスに接続されているアクチュエータと、
前記ストラップを介して前記移動自在支持ユニットに与えられる水平方向の力を検出する第１のセンサと、
前記ストラップに与えられる垂直方向力を検出する第２のセンサと、
前記第１のセンサ及び前記第２のセンサ並びにユーザインタフェースからの信号を受信し、かつ少なくとも前記第１の駆動部及び第２の駆動部の動作を制御して前記人の移動中の支持を容易にする制御システムと、を含み、
前記制御システムは、前記移動自在支持ユニットを前記トラックに沿って水平方向に移動させて前記人に追随させて、前記人への影響を最小限にすることによって、かつ前記ストラップ、前記ドラム及び第２のモータを介して前記人にかかる垂直方向の力を、前記人の移動中に前記第２のセンサに少なくとも応じて、前記人に対して適切となるように動的に変化させることによって、前記人にもたらされる支持力の量を動的に調整することを特徴とする人を支持するシステム。
【請求項２】
請求項１に記載の人を支持するシステムであって、前記トラックは、端と端とで接続されている複数の押出成形部材、及び前記移動自在支持ユニットが移動するトラックの部分の各々に対して前記トラックの内部に沿っている複数の電気レールを含んでいることを特徴とする人を支持するシステム。
【請求項３】
請求項２に記載の人を支持するシステムであって、前記押出成形部材は、長手方向に伸長し全体として平坦な上面と、長手方向にかつ前記上面の側部の各々から下方に伸長している互いに対向する側面と、を含み、前記上面及び前記下方に伸長する側面は、前記トラックの内部を形成し、前記対向する側面は、前記対向する側面から外方に伸長する肩部をさらに含むことを特徴とする人を支持するシステム。
【請求項４】
請求項３に記載の人を支持するシステムであって、前記下方に伸長する側面の各々の長さ全体に伸長する少なくとも１つの囲まれたチャンネルをさらに含むことを特徴とする人を支持するシステム。
【請求項５】
請求項１に記載の人を支持するシステムであって、前記トラックは、取付コンポーネントの挿入に適した少なくとも１つのＴ字型スロットを含むことを特徴とする人を支持するシステム。
【請求項６】
請求項３に記載の人を支持するシステムであって、前記第１の駆動部と前記トラックの内部との摩擦接触が維持されており、前記移動自在支持ユニットは、前記トラックの前記対向する側面から伸長している前記肩部の各々に載っているローラから吊り下げられていることを特徴とする人を支持するシステム。
【請求項７】
請求項６に記載の人を支持するシステムであって、前記移動自在支持ユニットは、前記トラックの長手軸に沿って前記移動自在支持ユニットの一部を拘束するのに適した付勢された遊動輪をさらに含むことを特徴とする人を支持するシステム。
【請求項８】
請求項７に記載の人を支持するシステムであって、前記第１の駆動部は、前記トラックの前記長手軸と全体的に垂直な方向に沿って、前記移動自在支持ユニットにスライド自在に接続されていることを特徴とする人を支持するシステム。
【請求項９】
請求項１に記載の人を支持するシステムであって、前記ストラップを介して水平方向の力を検出する前記第１のセンサは、前記移動自在支持ユニットに動作可能に取り付けられかつ前記移動自在支持ユニットから伸長しているストラップガイドを含み、前記ストラップガイドは、前記ストラップが垂直方向から前後方向に引っ張られたときにロードセルの出力の変化をもたらす態様で前記ロードセルに取り付けられていることを特徴とする人を支持するシステム。
【請求項１０】
請求項９に記載の人を支持するシステムであって、前記ストラップガイドの開口と隣り合ったマイクロスイッチを含むストラップ弛みセンサをさらに含み、前記マイクロスイッチは、前記ストラップに接触している付勢された接触器を含み、前記接触器は、前記ストラップが緩むと前記マイクロスイッチの状態を変化させ、前記状態の変化は前記制御システムによって検出されて、前記アクチュエータの動作が前記ストラップにおける弛みの検出において少なくとも一時的に停止させられることを特徴とする人を支持するシステム。
【請求項１１】
請求項１に記載の人を支持するシステムであって、前記ストラップに加えられる垂直方向の力を検出する前記第２のセンサは、前記ドラムと前記ストラップに支持されている人との間に少なくとも１つのプーリを含み、前記プーリは、枢動アームの一端に接続されており、前記枢動可能アームは、前記移動自在支持ユニットに接続されているフレーム部材に前記枢動アームの中央部の近傍において枢動可能に取り付けられており、前記枢動アームはロードセルに動作可能に付随して前記ロードセルが前記ストラップに吊り下げられている荷重に応じた圧縮力のみを受けるようになされていることを特徴とする人を支持するシステム。
【請求項１２】
請求項１に記載の人を支持するシステムであって、
前記制御システムによって動作させられ、前記システムの動作状態を表示する複数のインジケータと、
前記制御システムからの情報を表示しかつ療法士によって入力された情報を受信して前記システムの動作を制御するのに適したユーザインタフェースと、
をさらに含むことを特徴とする人を支持するシステム。
【請求項１３】
請求項１１に記載の人を支持するシステムであって、前記システムは前記システムの動作に関する情報を保存するデータベースを含み、前記ユーザインタフェースは、患者記録ウィンドウ、システムの使用状況を表示するデイリストウィンドウ、治療プラン選択ウィンドウ及びセッションデータウィンドウからなるグループから選択された情報をさらに表示することを特徴とする人を支持するシステム。
【請求項１４】
人を支持するシステムであって、
トラックであって、前記トラックは、端と端とで接続されている複数の押出成形部材、及び前記トラックの部分の各々に対して前記トラックの内部に粗って長手方向に配されている複数の電気レールを含んでおり、少なくとも１つの押出成形部材は、長手方向に伸長する全体として平坦な上面、及び長手方向にかつ前記上面の側部の各々から下方に伸長している対向する側面を含み、前記上面及び前記下方に伸長している側面は、前記トラックの内部を形成し、前記対向する側部の各々は、前記対向する側部から外方に伸長している肩部をさらに含んでいるトラックと、
前記トラックに動作可能に取り付けられ、前記トラックによって画定される経路に沿って第１の方向及び前記第１の方向と概ね反対方向の第２の方向に移動自在な移動自在支持ユニットと、
前記移動自在支持ユニットに取り付けられて前記トラックによって画定された経路に沿って前記支持ユニット移動させ、前記トラックの表面に摩擦態様にて接続されて前記トラックに沿った前記支持ユニットの水平方向位置を制御し、前記トラックの内部との間の摩擦接触が維持されている第１の駆動部であって、前記移動自在支持ユニットが前記トラックの前記対向する側面から伸長している前記肩部の各々に載っているローラから吊り下げられている第１の駆動部と、
前記移動自在支持ユニットに取り付けられ、回転自在ドラムを駆動する第２の駆動部を含むアクチュエータであって、前記ドラムが前記ドラムに取り付けられているストラップの第１の端部を有し、前記ストラップが前記ドラムの外表面の周りに重なり合うコイルの態様にて巻き付けられており、前記ストラップの第２の端部が人を支持するために取り付けられている支持ハーネスに接続されているアクチュエータと、
前記ストラップを介して前記移動自在支持ユニットに加えられる水平方向の力を検出し、かつ前記移動自在支持ユニットに動作可能に取り付けられかつ前記移動自在支持ユニットから伸長しているストラップガイドを含む第１のセンサであって、前記ストラップガイドは、垂直方向から前後方向に前記ストラップが引っ張られたときに前記ロードセルの出力を変化させる態様でロードセルに取り付けられている第１のセンサと、
前記ストラップに加えられる垂直方向の力を検出し、前記ドラムと前記ストラップによって支持される人との間に少なくとも１つのプーリを含む第２のセンサであって、前記プーリが枢動アームの一端に接続されており、前記枢動アームが前記移動自在支持ユニットに接続されているフレーム部材に前記枢動アームの中央部近傍において枢動自在に取り付けられており、前記枢動アームの反対側の他端はロードセルと動作可能に係合されており前記ロードセルが前記ストラップに吊り下げられている荷重に応じた圧縮力のみにさらされる第２のセンサと、
前記第１のセンサ及び前記第２のセンサ並びにユーザインタフェースから信号を受信し、かつ少なくとも前記第１の駆動部及び前記第２の駆動部の動作を制御して前記人の動作の間の支持を容易にする制御システムと、を含み、
前記制御システムは、前記トラックに沿って水平方向に前記移動自在支持ユニットを移動させて前記人に追随させて前記人への影響を最小化することによって、かつ前記ストラップ、前記ドラム及び第２のモータを介して前記人にもたらされる垂直方向の力を、前記人の移動中に前記第２のセンサに少なくとも応じて、所定の患者に対して適切となるように動的に変化させることによって、前記人にもたらされる支持力の量を動的に調節することを特徴とする人を支持するシステム。
【請求項１５】
請求項１４に記載の人を支持するシステムであって、
前記制御システムによって動作させられ、前記システムの動作状態を表示する複数のインジケータと、
前記制御システムからの情報を表示しかつ療法士によって入力された情報を受信して前記システムの動作を制御するのに適したユーザインタフェースと、
をさらに含むことを特徴とする人を支持するシステム。
【請求項１６】
請求項１５に記載の人を支持するシステムであって、前記システムは前記システムの動作に関する情報を保存するデータベースを含み、前記ユーザインタフェースは、患者記録ウィンドウ、システムの使用状況を表示するデイリストウィンドウ、治療プラン選択ウィンドウ及びセッションデータウィンドウからなるグループから選択された情報をさらに表示することを特徴とする人を支持するシステム。
【請求項１７】
リハビリテーション治療の目的で人を支持する方法であって、
トラックを設けるステップであって、前記トラックは端と端とで接続されている複数の押出成形部材及び前記トラックの部分の各々に対して前記トラックの内部に沿って長手方向に配されており複数の電気レールを含み、少なくとも１つの押出成形部材は、長手方向に伸長する全体的に平坦な上面及び長手方向及び前記上面の側部の各々から下方に伸長する対向する側面を含み、前記上面及び前記下方に伸長する側面が前記トラックの前記内部を形成し、前記対向する側部の各々は前記対向する側部から外方に伸長する肩部をさらに含むステップと、
前記トラックに移動自在支持ユニットを動作自在に取り付けるステップであって、前記移動自在支持ユニットが前記トラックによって画定される経路に沿って第１の方向及び前記第１の方向と全体として反対方向の第２の方向に移動自在であるステップと、
前記移動自在支持ユニットに取り付けられている第１の駆動部を用いて前記トラックによって画定される前記経路に沿って前記移動自在支持ユニットを移動させるステップであって、前記第１の駆動部は前記トラックの表面に動作可能に接続されて前記トラックに沿った前記移動自在支持ユニットの水平方向位置を制御し、前記移動自在支持ユニットは、前記トラックの対向する側面から伸長している前記肩部の各々に載っているローラから吊り下げられているステップと、
前記移動自在支持ユニットに取り付けられているアクチュエータを用いて前記人の垂直方向位置を制御するステップであって、前記アクチュエータは、回転自在ドラムを駆動する第２の駆動部を含み、前記ドラムは前記ドラムに取り付けられているストラップの第１の端部を有し、前記ストラップは前記ドラムの外表面の周りに重なり合うコイルの態様にて巻き付けられており、前記ストラップの第２の端部は、前記人を支持するために取り付けられている支持ハーネスに接続されているステップと、
前記ストラップを介して前記移動自在支持ユニットに与えられた水平方向の力を第１のセンサを用いて検出し、前記第１のセンサは前記移動自在支持ユニットに動作可能に取り付けられかつ前記移動自在支持ユニットから伸長しているストラップガイドを含んでおり、前記ストラップガイドは、前記ストラップは前記ロードセルに取り付けられており、前記ロードセルは、前記ストラップが垂直方向から前後方向に引っ張られたときにロードセルの出力の変化をもたらす態様にて前記ロードセルに取り付けられているステップと、
第２のセンサを用いて前記ストラップに与えられる垂直方向の力を検出するステップであって、前記第２のセンサは前記ドラムと前記ストラップによって支持されている人との間に少なくとも１つのプーリを含み、前記プーリは枢動アームの一端に接続されており、前記枢動アームは前記移動自在支持ユニットに接続されているフレーム部材に前記枢動アームの中央部近傍において枢動自在に取り付けられており、前記枢動アームの反対側の他端はロードセルに動作可能に係合して前記ロードセルが前記ストラップに吊り下げられている荷重に応じた圧縮力のみを受けるステップと、
前記第１のセンサ及び前記第２のセンサからの信号を受信しかつ少なくとも前記第１の駆動部及び前記第２の駆動部の動作を制御して前記人の移動を容易にしかつ補助する制御システムを設けるステップであって、前記制御システムは、前記移動自在支持ユニットを前記トラックに沿って水平方向に移動させて前記人に追随させることによって前記人にもたらされる支持力の量を動的に調整するステップと、
を含むことを特徴とする人を支持する方法。
【請求項１８】
請求項１７に記載のリハビリテーション治療の目的で人を支持する方法であって、前記コントローラは、前記人の移動を許容しかつ動的に落下を検知しかつ防止しつつ前記人への影響を最小化するのに適した態様にて前記システムの動作を制御するように事前にプログラミングされており、それによって、前記ストラップ、前記ドラム及び前記第２のモータを介して前記人に与えられる垂直方向の力が動的に変化させられ、前記第２のモータの動作に関するパラメータは前記人に応じて調整されることを特徴とする人を支持する方法。